(57)【特許請求の範囲】
【請求項１】
針基に、細管からなり先端に血管刺通部を備えた血管刺通側針管と、細管からなり先端に栓体刺通部を備えた栓体刺通側針管とが設けられ、上記針基内で上記血管刺通側針管と上記栓体刺通側針管とが連通されている採血針であって、上記血管刺通側針管の針管軸と上記栓体刺通側針管の針管軸とを基軸とした場合の上記血管刺通側針管と上記栓体刺通側針管とがなす内角が３０〜１５０度とされてなることを特徴とする採血針。
【発明の詳細な説明】
【０００１】
【発明の属する技術分野】
本発明は臨床検査等において使用する血液を採取するための真空採血システムにおいて用いられる採血針に関する。
【０００２】
【従来の技術】
典型的な真空採血システムは、特公平２−５６０９５号公報等に記載されているが、システムの基本的な構成は、
１）図７に示す、有底の管状容器の開放端を針穴シール性、且つガスバリヤー性を備えた栓体１１で気密に封止し、内部を減圧に保った真空採血管１０と、
２）図８に示す、一本の金属製細管からなり、ほぼ中間部に雄ネジが切られた針基２１ａを有し、一方側が先端に血管刺通部２３ａを備えた血管刺通側針管２２ａとされ、他方側が先端に栓体刺通部２５ａを備えた栓体刺通側針管２４ａとされた採血針２０ａと、
３）図９に示す、円筒体からなり、一方側に採血針をネジ止め固定するために雌ネジが切られた固定孔３１を有し、他方側は開放されておりその内腔３２に真空採血管を挿入可能とされた採血管ホルダー３０とからなっている。
【０００３】
図７〜９の真空採血システムを用いて採血するには、まず、採血針２０ａの針基２１ａを採血管ホルダー３０の固定孔３１にネジ止めして採血針／採血管ホルダー組み立て体を作る。次に、採血者は、図１０に示すように、採血針／採血管ホルダー組み立て体の全体を被採血者の血管軸に沿った方向に寝かせるようにして手に保持し、採血針２０ａの血管刺通部２３ａを血管４０に刺通する。次いで、採血ホルダー３０の内腔３２に図７に示した真空採血管１０を挿入し、採血針２０ａの栓体刺通部２５ａで栓体１１を貫通せしめると、真空採血管１０内部が減圧になっているために血液が吸引されるようになっている。
【０００４】
なお、この採血に際して、血管刺通部２３ａを血管内に刺した時や、また、採血中に真空採血管１０を取り替えて複数本の真空採血管１０に採血するとき、もしくは、採血を終えたとき、栓体１１から栓体刺通部２５ａを抜いた時に、該栓体刺通部２５ａから血液が吹き出さないように、採血針２０ａの栓体刺通側針管２４ａは、図８に示すようにゴム製の鞘２６ａで被覆されている。この鞘２６ａは、栓体刺通部２５ａが栓体１１に刺される直前に、該栓体刺通部２５ａによって刺し貫かれ、栓体刺通部が栓体１１を刺し貫いた際には、栓体１１に押されて針基２１ａ側に縮まっている。そして、鞘２６ａは、栓体刺通部２５ａが栓体１１から引き抜かれた際には、元の形状に復元することにより、血液の吹き出しを防止している。
【０００５】
ところで、本システムを用いて採血するときに問題となっているのは、採血針２０ａを血管４０に刺通する際の採血針２０ａと血管４０との間で形成される角度（以下、この角度のことを「採血針の挿入角」という。）がかなり大きく、採血者が血管を刺通しづらく感じることである。このため、採血者は採血に際して緊張し、採血者の緊張感は、被採血者にも伝わり、採血作業が両者にとって心理的負担の大きいものとなっているばかりか、実際に、血管刺通の失敗によって被採血者に無用の内出血を起こさせたり、真空採血システムの普及を阻害したりしている。
【０００６】
採血針の挿入角が大きい理由は、採血針２０ａが採血管ホルダー３０の中心軸上にネジ止め固定されていること、そして採血管ホルダー３０の外径が比較的大きいことの２点による。
ところで、真空採血システムではなく、従来から行われていた注射器による採血では、注射器胴部の外径が大きく、採血針を注射器の中心軸上に固定したのでは採血針の挿入角が大きくなる恐れのある場合は、図１１に示すように、採血針の取り付け位置５１は注射器５０の中心軸５２上ではなく、胴部側面に近い方にずらしたものが、好んで用いられる。こうすることにより、採血針の挿入角を非常に小さくすることができる。
【０００７】
真空採血システムにあっては、特開昭５６−８９２６６号公報に、図１２に示すように、採血管ホルダー３０ｂの採血針固定位置３３ｂを採血管ホルダーの中心軸からずらしたものが提案されている。
【０００８】
しかしながら、上記の公報に図示されている真空採血管１０ｂの栓体１１ｂは、薄いシート状であり、かかる発明に都合のよい形状をしているのに対し、図７に示したような形状の栓体１１で封止されている真空採血管１０にあっては、図１２に示すような採血管ホルダー３０ｂを用いると、採血針２０ｂが貫通する栓体１１の部位である該栓体１１の周辺部は、中央部よりも肉厚が非常に大きくなっており、貫通抵抗が極めて大きくならざるを得ず、極めて使用しにくいという問題がある。
【０００９】
また、特開平３−１２８０４４号公報には、図１３に示すように、採血管ホルダー３０ｃの先端部分３４ｃをノズル状に縮径することにより採血部位への採血管ホルダー頭部の当たり角を小さくし、採血針２０ｃの挿入角を小さくできる採血管ホルダーが提案されている。この提案の採血管ホルダー３０ｃでは、一般的に使われている長さの採血針を使用した場合、採血針の栓体貫通側が採血管ホルダーの縮径された先端部分３４ｃに納まってしまい、図１３の真空採血管１０ｃとして、図７に示したような形状の栓体１１で封止されている真空採血管１０を使用した場合では、栓体部分をこの縮径された先端部分３４ｃには挿入できないため、採血針で栓体を貫通せしめることができないという問題があり、この問題を解決するには、栓体刺通側の長さが長い特殊なサイズの採血針を使用せねばならない。
【００１０】
結局、以上のいずれの提案のものでも、適用できる真空採血管は、シート形状の栓体を有するものに限定されてしまうか、特殊サイズの採血針を使用せねばならないといった問題がある。
【００１１】
一方、特開平３−７３１３４号公報には、図１４に示すように、所謂、翼付針６０を使用した採血方法が提案されている。翼付針６０はおよそ２０ｃｍ程の長さの軟質チューブ６１を介して採血管ホルダー６２と連結されるために、血管への刺通角度を採血管ホルダー６２のサイズ、形状に影響されることなく、採血者の好みで自由にできるという利点がある。この場合は、採血管ホルダーは図９に示す通常のものを使用すればよいので、真空採血管６３として、栓体の形状によらず、種々の真空採血管を広く使用することができる。しかしながら、翼付針は高価であるばかりでなく、軟質チューブ部分のデッドボリュームがかなり大きいため、少量採血用の真空採血管の場合は、規定量の採血を行えないといった問題がある。
【００１２】
【発明が解決しようとする課題】
本発明は、上記問題点に鑑みてなされたものであり、その目的は、血管への採血針の刺通が無理なく容易に行えるために、採血者のみならず、被採血者の心理的緊張を著しく軽減し、内出血等の採血事故を減少せしめ得る採血針を提供することにある。
【００１３】
【課題を解決するための手段】
本発明の採血針は、針基に、細管からなり先端に血管刺通部を備えた血管刺通側針管と、細管からなり先端に栓体刺通部を備えた栓体刺通側針管とが設けられ、上記針基内で上記血管刺通側針管と上記栓体刺通側針管とが連通されている採血針であって、上記血管刺通側針管の針管軸と上記栓体刺通側針管の針管軸とを基軸とした場合の上記血管刺通側針管と上記栓体刺通側針管とがなす内角が３０〜１５０度とされてなる。
【００１４】
本発明の採血針において、上記の内角は、小さくなると、採血針を採血管ホルダーに固定することが難しくなり、大きくなると採血針の挿入角が大きくなるので、３０〜１５０度に限定され、さらに好ましくは６０〜１５０度である。
【００１７】
（作用）
本発明の採血針を使用して真空採血する方法を説明する。まず、採血針を採血管ホルダーに固定して採血針／採血管ホルダーの組み立て体を作る。この際、採血針の栓体刺通側の針管軸を、真空採血管ホルダーの中心軸上に位置するようにさせることが可能である。従って、図７に示した形状の栓体を有する真空採血管であっても、採血針によって貫通される栓体の部位は予め設計された最も薄肉の部位とすることができるので、貫通抵抗も予め設定された値を超えることはない。一方、本発明の採血針は血管刺通側針管の針管軸と栓体刺通側針管の針管軸とを基軸とした場合の血管刺通側針管と栓体刺通側針管とがなす内角が３０〜１５０度とされてなるので、上記のように採血針／採血管ホルダーの組み立て体を作ると、採血針の血管刺通側の針管軸は、採血管ホルダーの中心軸の延長線上にはない。
【００１８】
かかる採血針／真空採血管ホルダーの組み立て体を用いて、真空採血を行うには、採血針の血管刺通側の針管軸を血管に沿わせた方向で血管に血管刺通部を刺通するために、採血管ホルダーを図３に示すように立てた状態で手に保持する。このような採血姿勢を取ることにより、採血管ホルダーの外径の大きさに左右されることなく、採血針の挿入角を非常に小さくすることができる。その上、血管刺通後に採血管ホルダーに真空採血管を挿入するときは、その挿入方向が必然的に血管刺通方向とは異なるために、採血者は栓体刺通側の針管を栓体に貫通させる時の勢いで、採血針の血管刺通部が被採血者の血管内にさらに押し込まれるのを防ぐための緊張感からも開放される。
【００１９】
上記の採血方法によると、血管刺通側針管の針管軸と栓体刺通側針管の針管軸とを基軸とした場合の血管刺通側針管と栓体刺通側針管とがなす内角を３０〜１５０度となるようにして採血するので、採血管ホルダーの外径の大きさに左右されることなく、採血針の挿入角を非常に小さくすることができ、その上、血管刺通後に採血管ホルダーに真空採血管を挿入するときは、その挿入方向が血管刺通方向とは異なるために、栓体刺通側の針管を栓体に貫通させる時の勢いで、採血針の血管刺通部が被採血者の血管内にさらに押し込まれることがない。
【００２０】
【発明の実施の形態】
以下、図を用いて本発明の採血針を説明する。なお、説明の便宜上図７、図９および図１０の従来例と同一の部材には同一の符号を用いる。
【００２１】
図１は、本発明の採血針２０の１実施例を示す側面図である。採血針２０は、雄ネジが切られた針基２１に、金属製細管からなり先端に血管刺通部２３を備えた血管刺通側針管２２と、金属製細管からなり先端に栓体刺通部２５を備えた栓体刺通側針管２４とが設けられ、上記針基２１内で上記血管刺通側針管２２と上記栓体刺通側針管２４とが連通されている。この実施例では血管刺通側針管２２と上記栓体刺通側針管２４とは一本の金属製の細管で連続しているが、それぞれ別々の細管からなり、針基２１内で突き合わせなどで連通してもよい。また、上記栓体刺通側針管２４は、ゴム性の鞘２６で被覆されている。
【００２２】
採血針２０の血管刺通側針管２２は、針基２１に接続する部分で図の上方に屈曲されており、血管刺通側針管２２の針管軸２７と栓体刺通側針管２４の針管軸２８とを基軸として測定した場合の上記血管刺通側針管と上記栓体刺通側針管とがなす内角αは、１３０度とされている。
【００２３】
図２は、上記採血針２０を、針基２１の雄ネジと採血管ホルダー３０の固定孔３１の雌ネジとでネジ止めして、採血管ホルダー３０に取り付けた状態を示すものである。採血管ホルダー３０は、図９に示したものと同様の構成のものであり、その固定孔３１の中心は採血管ホルダー３０の中心軸３５上に設けられている。従って、上記のネジ止め固定後は、採血針２０の栓体刺通側針管２４の針管軸２８は、採血管ホルダー３０の中心軸３５上に位置する。従って、図７に示した形状の栓体１１を有する真空採血管１０であっても、採血針２０によって貫通される栓体の部位は予め設計された最も薄肉の部位とすることができるので、貫通抵抗も予め設定された値を超えることはない。一方、採血針２０の血管刺通側針管２２の針管軸２７は、採血管ホルダーの中心軸３５の延長線上にはない。
【００２４】
図３は、かかる採血針／真空採血管ホルダーの組み立て体を用いて、真空採血を行なう方法を説明するための図である。採血管ホルダー３０を図３に示すように立てた状態で手に保持して、血管４０に血管刺通部２３を挿入する。このような採血姿勢を取ることにより、採血管ホルダー３０の外径の大きさに左右されることなく、採血針の挿入角を非常に小さくすることができる。
【００２５】
血管４０に血管刺通部２３を挿入後、採血管ホルダー３０の内腔３２に真空採血管１０を挿入して、栓体１１を栓体刺通部２５で貫通すると、真空採血管１０に血液が吸引される。この場合、血管刺通後に採血管ホルダー３０に真空採血管１０を挿入するときは、その挿入方向は図３から分かるように、血管刺通方向とは異なるために、栓体刺通側針管２４を栓体１１に貫通させる時の勢いで、採血針２０の血管刺通部２３が血管４０内にさらに押し込まれることはない。
【００２６】
なお、本実施例の採血針は、血管刺通側針管２２が針基２１に接続するところで屈曲していたが、屈曲される位置はこれに限らず、上記血管刺通側針管の針管軸と上記栓体刺通側針管の針管軸とを基軸とした場合の上記血管刺通側針管と上記栓体刺通側針管とがなす内角が３０〜１５０度とされさえすれば、針基２１直近である必要は必ずしもなく、血管刺通側針管２２中の針基２１から離れた位置でもよい。なお、屈曲される位置が血管刺通側針管２２中の針基２１から離れた位置である場合は、上記血管刺通側針管の針管軸とは、屈曲された部位よりも先端側の針管の針管軸を指すものとする。
【００２８】
図４は、本発明の他の実施例を示す採血針２０Ａの斜視図である。採血針２０Ａの屈曲点は、採血針２０Ａの栓体刺通側針管２４Ａの部分にあり、上記血管刺通側針管２２Ａの針管軸と上記栓体刺通側針管２４Ａの針管軸とを基軸として測定した場合の上記血管刺通側針管と上記栓体刺通側針管とがなす内角αが１００度となるように屈曲せしめられている。血管刺通側針管２２Ａおよび栓体刺通側針管２４Ａの先端は、それぞれ血管刺通部２３Ａおよび栓体刺通部２５Ａとされ、栓体刺通側針管２４Ａはゴム製の鞘２６Ａで被覆されている。そして、針基２１Ａの栓体刺通側針管２４Ａ側には採血管ホルダーに採血針２０Ａを固定するための翼状の取り付け具２９が設けられている。この例では、採血針２０Ａは、図５に示したような採血管ホルダー３０Ａにねじ止めではなく、翼状の取り付け具２９を挿入することによって固定される。すなわち、この採血管ホルダー３０Ａの固定孔は、上記翼状の取り付け具２９が挿入されることによって取り付け固定されるように、翼状の取り付け具係合孔３１Ａとされている。翼状の取り付け具係合孔３１Ａの中心は、採血管ホルダー３０Ａの中心軸３５Ａ上に設けられている。
【００２９】
この採血針２０Ａに使用される採血管ホルダー３０Ａは、その胴部に、図５に示すように、栓体刺通側針管２４Ａが挿入されるための切り込み３６が入っている。
【００３０】
図６は、上記採血針２０Ａを、翼状の取り付け具２９を採血管ホルダー３０Ａの翼状の取り付け具係合孔３１Ａに挿入して採血管ホルダー３０Ａに取り付けた状態を示すものである。この場合も採血針２０Ａの栓体刺通側針管２４Ａの針管軸は、採血管ホルダー３０Ａの中心軸３５Ａ上に位置する。採血針２０Ａの血管刺通側針管２２Ａの針管軸は、採血管ホルダーの中心軸３５Ａの延長線上にはない。従って、この実施例の採血針２０Ａも前述の実施例の採血針２０と同様の作用効果を奏する。また、この実施例の採血針２０Ａを使用して採血する方法も前述の実施例のものと同様である。
【００３１】
また、本実施例の採血針２０Ａと採血管ホルダー３０Ａとを固定する際の態様は、上記したものばかりでなく、採血針の針基および採血管ホルダーの採血針の固定部分をそれぞれ相対応した形状とする他の種々の態様が考えられる。
【００３２】
また、図１、図４に示したいずれの例においても、採血針および採血管ホルダーの材質、製造方法等は、それ自体、公知の技術を用いればよいのであって、何等の制限もない。
【００３３】
また、本発明の採血針は、上記の構成を有するので、図７の形状の栓体を有する真空採血管ばかりでなく、シート形状の栓体を有する真空採血管であっても、何等支障なく適用できることは言うまでもない。シート形状の栓体を有する真空採血管に適用する場合には、採血針の栓体刺通側針管の針管軸を、採血管ホルダーの中心軸上に位置する必要はない。
【００３４】
【発明の効果】
本発明の採血針の構成は上記の通りであり、本発明の採血針を使用すると、血管への採血針の刺通が無理なく容易に行えるために、採血者のみならず、被採血者の心理的緊張を著しく軽減し、内出血等の採血事故を減少せしめ、そのことによって、真空採血システムの普及自体にも一層拍車がかかるものと期待される。
【図面の簡単な説明】
【図１】本発明の採血針の１実施例を示す側面図である。
【図２】本発明の採血針を採血管ホルダーに取り付けた状態を示す断面図である。
【図３】本発明の採血針を採血に使用する状態を示す説明図である。
【図４】本発明の採血針の他の実施例を示す斜視図である。
【図５】図４に示した採血針を取り付けるための採血管ホルダーの斜視図である。
【図６】図４に示した採血針を採血管ホルダーに取り付けた状態を示す斜視図である。
【図７】真空採血管を示す断面図である。
【図８】従来の採血針を示す側面図である。
【図９】採血管ホルダーを示す断面図である。
【図１０】従来の採血針を用いて採血する際の状態を示す説明図である。
【図１１】注射器を示す斜視図である。
【図１２】従来例を示す一部断面図である。
【図１３】従来例を示す側面図である。
【図１４】従来例を示す説明図である。
【符号の説明】
１０  真空採血管
１１  栓体
２０、２０Ａ  採血針
２１、２１Ａ  針基
２２、２２Ａ  血管刺通側針管
２３、２３Ａ  血管刺通部
２４、２４Ａ  栓体刺通側針管
２５、２５Ａ  栓体刺通部
２６、２６Ａ  鞘
２７  針管軸
２８  針管軸
２９  翼状の取り付け具
３０、３０Ａ  採血管ホルダー
３１  固定孔
３１Ａ  翼状の取り付け具係合孔
３２  内腔
４０  血管
α  内角
【図１】
0003593190.tif 000002
【図２】
0003593190.tif 000003
【図３】
0003593190.tif 000004
【図４】
0003593190.tif 000005
【図５】
0003593190.tif 000006
【図６】
0003593190.tif 000007
【図７】
0003593190.tif 000008
【図８】
0003593190.tif 000009
【図９】
0003593190.tif 000010
【図１０】
0003593190.tif 000011
【図１１】
0003593190.tif 000012
【図１２】
0003593190.tif 000013
【図１３】
0003593190.tif 000014
【図１４】
0003593190.tif 000015